(57)【要約】      （修正有）【課題】一端を固定した弾性支持部材の他端部で可動部を支持する際、弾性支持部材の一端を弾性基板に保持した場合、弾性基板と弾性支持部材とのハンダ付け時に加熱による弾性基板の反りなしで組み付けを可能とし、可動部の組付け時の位置を正常に保つことが可能な対物レンズ駆動装置。【解決手段】対物レンズホルダ４に一端を固定した複数の弾性支持部材３０と、弾性支持部材の他端を支持する固定部材２１と、対物レンズホルダを駆動する駆動手段と、フォーカス方向とトラッキング方向を含む面内のトラッキング方向中央付近に固定部材に固定された被固定部分２２ａを持ち、被固定部分のトラッキング方向両側がタンジェンシャル方向に変位可能な弾性変形部２２ｂであり、弾性変形部に対して弾性支持部材の一端部が連結された弾性基板２２とを備えた対物レンズ駆動装置において、弾性基板は厚み方向の中心に対して材質、厚さ、形状の各構成が対称である。【選択図】    図１
2006260695.tif 000002
【特許請求の範囲】
【請求項１】
光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、
フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、
前記弾性基板は、厚み方向の中心に対して、材質、厚さ、形状の各構成が対称であることを特徴とする対物レンズ駆動装置。
【請求項２】
前記弾性基板は、厚み方向中心に導電性材料からなる配線部を持ち、前記配線部の厚み方向両側に夫々材質と厚さと形状が同一な樹脂部を備え、前記配線部の線膨張係数の値と、前記樹脂部の線膨張係数の値との差が１×１０-5［ｃｍ／ｃｍ／℃］以下である材料を組み合わせ選択することを特徴とする請求項１記載の対物レンズ駆動装置。
【請求項３】
前記弾性基板は、前記弾性基板の厚み方向両側面それぞれに、同一材質、同一厚さ、同一形状である補強板を有していることを特徴とする請求項１、又は２記載の対物レンズ駆動装置。
【請求項４】
前記補強板は、前記弾性基板の樹脂部と同一材質であることを特徴とする請求項３記載の対物レンズ駆動装置。
【請求項５】
光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、
フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、
前記弾性基板を外力によりタンジェンシャル方向の対物レンズホルダ側に弾性変形させた状態において前記弾性支持部材と前記弾性基板とを固定することを特徴とする対物レンズ駆動装置の組付け方法。
【請求項６】
光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、
フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、
前記弾性基板がタンジェンシャル方向にたわまないように規制された状態において前記弾性支持部材と前記弾性基板とを固定することを特徴とする対物レンズ駆動装置の組付け方法。
【請求項７】
光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、
フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、
前記弾性基板は厚み方向の中心に対して、材質、厚さ、形状、の構成が非対称であり、加熱によりタンジェンシャル方向の対物レンズホルダ側に可逆変形する特性を持つことを特徴とする対物レンズ駆動装置。
【請求項８】
光束を出射する光源と、
請求項１乃至４、又は７に記載の対物レンズ駆動装置、もしくは請求項５又は６に記載の組付け方法により組み付けられた対物レンズ駆動装置と、
前記光束を前記対物レンズ駆動装置内の前記対物レンズに入光し、前記記録再生面で反射され前記対物レンズを通過後の戻り光を所定の受光位置に導く光学系と、
前記受光位置に配置された光検出器と、を備えたことを特徴とする光ピックアップ装置。
【請求項９】
請求項８に記載の光ピックアップ装置と、
前記光ピックアップ装置を前記光ディスクの半径方向に移動させるシーク機構と、
光ディスクを回転させるスピンドルモータと、
前記光ピックアップ装置の出力信号を用いて、前記情報の記録、再生及び消去のうち少なくとも再生を行なう処理装置と、を備えることを特徴とする光ディスクドライブ装置。
【発明の詳細な説明】
【技術分野】
【０００１】
本発明は、光ディスクにレ−ザ光を投影して光ディスクに対する情報の記録及び、または再生を行う光ディスク装置に用いる対物レンズ駆動装置、対物レンズ駆動装置を備えた光ピックアップ装置、及び光ピックアップ装置を備えた光ディスクドライブ装置に関する。
【背景技術】
【０００２】
レーザ光源から出射されたレーザ光をＣＤ、ＤＶＤ等のディスク状記録媒体上に投影して情報の記録、再生を行う光ディスクドライブ装置は、ピックアップモジュールを備えている。ピックアップモジュールには光ディスクを回転させるスピンドルモータとシークレールが固定されていて、このシークレールには光ピックアップ装置が搭載され、シークレール上を光ディスクの半径方向に移動可能になっている。光ピックアップ装置は、光ディスクの記録面にレーザ光を照射して光スポットを形成するとともに記録面からの反射光を受光するための装置である。この光ピックアップ装置には、通常、対物レンズ駆動装置を備え、対物レンズ駆動装置内にある対物レンズを用いて光ピックアップ装置内にある光源から出射される光束を光ディスクの記録面に導くとともに記録面で反射された戻り光束を所定の受光位置まで導く光学系、及び受光位置に配置された受光素子などを備えている。また対物レンズ駆動装置は、反射光から得られる制御信号を用いて、光ビームスポットがディスク上の所定の位置に正確に照射されるように対物レンズをフォーカシング方向とトラッキング方向とに駆動する。
対物レンズ駆動装置の可動部（対物レンズを含む可動部材）を固定部によって動作可能に支持する方法にはいくつかの方式があり、現在主に用いられているものの１つに弾性支持部材によって可動部を支持する方式がある。この方式の中で、弾性支持部材の固定部側への支持方法として、弾性支持部材と固定部との間に弾性基板を介して保持したものがある（特許第３４９７３３３号）。
このように固定部材と弾性支持部材との間にタンジェンシャル方向に弾性変形可能な弾性基板を用いることで、可動部のフォーカシング方向やタンジェンシャルチルト方向への可動性を確保することができる。
【０００３】
しかし、特許第３４９７３３３号に開示された発明のように、弾性基板の厚み方向の構造が非対称である、且つ可動部をタンジェンシャル方向片側から支持している場合は、弾性基板と弾性支持部材とのハンダ組付けに関して、以下のような問題が起こる。即ち、弾性基板の線膨張係数がその厚み方向中心に対して非対称であるために、ハンダ組付け作業中の加熱によってタンジェンシャル方向に変形し、その状態で弾性基板と弾性支持部材とがハンダにより接合固定される。その後、弾性基板の熱が放熱することでタンジェンシャル方向のたわみが加熱前の状態に戻ろうとするが、既にハンダ部が固化しているため、弾性基板に固定された弾性支持部材及びその先に固定されている可動部ごとタンジェンシャル方向にシフトしてしまい、位置ズレが発生してしまう。また可動部をタンジェンシャル方向両側から支持している場合には、仮に弾性基板の撓み方向が可動部と反対方向である外側に撓んだとすると、片側支持の場合と同様にハンダ組付け後に弾性基板のタンジェンシャル方向のたわみが加熱前の状態に戻ろうとするが、両側支持のためタンジェンシャル方向には弾性支持部材の逃げ場がないので、可動部がフォーカシング方向に下がるといった位置ズレが発生してしまう。
【特許文献１】特許第３４９７３３３号
【発明の開示】
【発明が解決しようとする課題】
【０００４】
本発明は、このような従来技術の欠点を解決するために創案されたものであり、その目的は、一端を固定部に固定した弾性支持部材の他端部によって可動部を支持する際に、弾性支持部材の一端を弾性基板に保持した構造において、弾性基板と弾性支持部材とのハンダ組付け時に加熱による弾性基板の反りを発生させることなく組み付けを可能とし、可動部の組付け時の位置を正常に保つことが可能な対物レンズ駆動装置を提供することにある。
即ち、請求項１の発明は、弾性基板の厚み方向中心に対して線膨張係数を対称にして熱膨張時の面方向の膨張量を対称とさせ、面垂直方向への弾性基板のたわみ発生を防止することを目的とする。
請求項２の発明は、熱膨張による弾性基板の配線部と樹脂部の面方向の相対的な伸縮量の差を少なくして、両面樹脂部の相対厚み誤差による面垂直方向への弾性基板のたわみ発生を防止することを目的とする。
請求項３の発明は、必要な曲げ弾性力を備えた弾性基板を専用の基板を用いることなく実現し、コストの削減を図ることを目的とする。
請求項４の発明は、熱膨張による面方向の相対的な伸縮量の差を少なくして、相対厚み誤差による面垂直方向への弾性基板のたわみ発生を防止することを目的とする。
請求項５の発明は、弾性基板の外力による弾性変形の復元力を利用して、中立状態での可動部自重によるフォーカス方向変位をキャンセルすることを目的とする。
請求項６の発明は、弾性支持部材と弾性基板との組付け時に弾性基板をタンジェンシャル方向にたわませずに平面に保つことを目的とする。
請求項７の発明は、弾性基板の加熱による弾性変形の復元力を利用して、中立状態での可動部自重によるフォーカス方向変位をキャンセルすることを目的とする。
請求項８の発明は、良好な信号が得られる光ピックアップ装置を提供することを目的とする。
請求項９の発明は、データの読み書きを良好に行なうことが可能な光ディスクドライブ装置を提供することを目的とする。
【課題を解決するための手段】
【０００５】
上記目的を達成するため、請求項１の発明は、光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、前記弾性基板は、厚み方向の中心に対して、材質、厚さ、形状の各構成が対称であることを特徴とする。
請求項２の発明は、請求項１において、前記弾性基板は、厚み方向中心に導電性材料からなる配線部を持ち、前記配線部の厚み方向両側に夫々材質と厚さと形状が同一な樹脂部を備え、前記配線部の線膨張係数の値と、前記樹脂部の線膨張係数の値との差が１×１０-5［ｃｍ／ｃｍ／℃］以下である材料を組み合わせ選択することを特徴とする。
請求項３の発明は、請求項１、又は２において、前記弾性基板は、前記弾性基板の厚み方向両側面それぞれに、同一材質、同一厚さ、同一形状である補強板を有していることを特徴とする。
請求項４の発明は、請求項３において、前記補強板は、前記弾性基板の樹脂部と同一材質であることを特徴とする。
【０００６】
請求項５の発明に係る組付け方法は、光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、前記弾性基板を外力によりタンジェンシャル方向の対物レンズホルダ側に弾性変形させた状態において前記弾性支持部材と前記弾性基板とを固定することを特徴とする。
請求項６の発明に係る組付け方法は、光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、前記弾性基板がタンジェンシャル方向にたわまないように規制された状態において前記弾性支持部材と前記弾性基板とを固定することを特徴とする。
【０００７】
請求項７の発明に係る対物レンズ駆動装置は、光ディスクの記録再生面に光を集光する対物レンズと、前記対物レンズを保持する対物レンズホルダと、前記対物レンズホルダに一端を固定されて該対物レンズホルダを動作可能に支持する複数の弾性支持部材と、前記弾性支持部材の他の部位を支持する固定部材と、前記対物レンズホルダを駆動して該対物レンズを補正動作させる駆動手段と、フォーカシング方向とトラッキング方向を含む面内に存在し、トラッキング方向中央付近に前記固定部材に固定された被固定部分を持ち、前記被固定部分のトラッキング方向両側がタンジェンシャル方向に変位可能な弾性変形部であり、前記弾性変形部に対してタンジェンシャル方向に延びた前記複数の弾性支持部材の一端部が連結された弾性基板と、を備えた対物レンズ駆動装置において、前記弾性基板は厚み方向の中心に対して、材質、厚さ、形状、の構成が非対称であり、加熱によりタンジェンシャル方向の対物レンズホルダ側に可逆変形する特性を持つことを特徴とする。
請求項８の発明に係る光ピックアップ装置は、光束を出射する光源と、請求項１乃至４、又は７に記載の対物レンズ駆動装置、もしくは請求項５又は６に記載の組付け方法により組み付けられた対物レンズ駆動装置と、前記光束を前記対物レンズ駆動装置内の前記対物レンズに入光し、前記記録再生面で反射され前記対物レンズを通過後の戻り光を所定の受光位置に導く光学系と、前記受光位置に配置された光検出器と、を備えたことを特徴とする。
請求項９の発明に係る光ディスクドライブ装置は、請求項８に記載の光ピックアップ装置と、前記光ピックアップ装置を前記光ディスクの半径方向に移動させるシーク機構と、光ディスクを回転させるスピンドルモータと、前記光ピックアップ装置の出力信号を用いて、前記情報の記録、再生及び消去のうち少なくとも再生を行なう処理装置と、を備えることを特徴とする。
【発明の効果】
【０００８】
請求項１の発明によれば、弾性基板の厚み方向中心に対して線膨張係数を対称としたことで熱膨張時の面方向の膨張量が同じく対称となるので、面垂直方向への弾性基板のたわみ発生を防止することができる。
請求項２の発明によれば、熱膨張による弾性基板の配線パターン部と樹脂フィルム部の面方向の相対的な伸縮量の差を少なくして、両面樹脂フィルム部の相対厚み誤差による面垂直方向への弾性基板のたわみ発生を防止することができる。
請求項３の発明によれば、必要な曲げ弾性力を備えた弾性基板を専用の基板を用いることなく実現し、コストの削減を図ることができる。
請求項４の発明によれば、熱膨張による面方向の相対的な伸縮量の差を少なくして、相対厚み誤差による面垂直方向への弾性基板のたわみ発生を防止することができる。
請求項５の発明によれば、弾性基板の外力による弾性変形の復元力を利用して、中立状態での可動部自重によるフォーカス方向変位をキャンセルすることができる。
請求項６の発明によれば、弾性支持部材と弾性基板との組付け時に弾性基板をタンジェンシャル方向にたわませずに平面に保つことができる。
請求項７の発明によれば、弾性基板の加熱による弾性変形の復元力を利用して、中立状態での可動部自重によるフォーカス方向変位をキャンセルすることができる。
請求項８の発明によれば、良好な信号が得られる光ピックアップ装置を提供することができる。
請求項９の発明によれば、データの読み書きを良好に行なうことが可能な光ディスクドライブ装置を提供することができる。
【発明を実施するための最良の形態】
【０００９】
以下、本発明を図面に示した実施形態に基づいて詳細に説明する。
図１（ａ）乃至（ｄ）、及び図２は本発明の第１の実施形態に係る対物レンズ駆動装置の説明図であり、図１（ａ）は対物レンズ駆動装置の平面図、図１（ｂ）は対物レンズ駆動装置をトラッキング方向から見た側面図、図１（ｃ）は弾性基板をタンジェンシャル方向から見た図、図１（ｄ）は弾性基板の厚さ方向断面構成図（拡大）である。
対物レンズ駆動装置１は、可動部２と、可動部２のタンジェンシャル方向両側に所定のギャップを隔てて配置された固定部２０と、各固定部２０と可動部２との間を連結し可動部２を可動な状態に浮かせて保持する金属等の弾性且つ導電性を有した材料から成る左右４本ずつ、合計８本の弾性支持部材３０と、とから概略構成されている。
可動部２は、図示しない光ディスクの記録面と対向する対物レンズ３、対物レンズ３をフォーカシング方向上面に保持する対物レンズホルダ４、対物レンズホルダ４のタンジェンシャル方向両側面に夫々保持されている駆動コイル５等から構成されている。また、可動部２は、トラッキング方向両側面から突設した突設部材２ａに各弾性支持部材３０の一端を固定し、各弾性支持部材３０は４本ずつタンジェンシャル両方向へ左右対称に延び、固定部２０側に他端部を固定している。
【００１０】
固定部２０は、左右一対の固定部材２１と、各固定部材２１の外側面に中間部（被固定部分）２２ａを固定された弾性基板２２と、を備えており、各弾性支持部材３０の他端部は各弾性基板２２に固定されている。弾性基板２２は固定部材２１により固定されていないトラッキング方向両端部（弾性変形部２２ｂ）がフリーの状態にあり、各弾性支持部材３０の他端部はこのフリーの状態にある弾性変形部２２ｂに夫々固定されている。なお、弾性基板２２は、図１（ｃ）に示すようにＴ字型をしており、フォーカシング方向下方側の端部は導体露出部としての端子部２２ｃである。また、弾性基板２２の弾性変形部２２ｂに設けた導体露出部としてのランド部（導体露出部）２２ｂ’に対して、各弾性支持部材３０の他端部は半田等によって固定されている。即ち、弾性変形部２２ｂにはランド部２２ｂ’が設けられ、ランド部中心には弾性支持部材の他端部が挿入できる穴が設けられていて弾性支持部材の他端部がこのランド部中心にある穴に挿入され半田によって電気的に接続されている。このような構成により弾性基板２２の端子部２２ｃから、可動部２に固着された駆動コイル５へ電流を供給することができる。
なお、弾性支持部材３０の一部は固定部材２１に設けた貫通孔内に挿通されて貫通している。この結果、可動部２は、導電性を有した複数の弾性支持部材３０を介して弾性基板２２と電気的に接続されると共に、固定部材２１を介して機械的に支持されて動作可能となっている。
各弾性支持部材３０は、その軸がタンジェンシャル方向に延びるように可動部２をはさんでタンジェンシャル方向両側に配置され、各一端部は前述したように可動部２に接続された各駆動コイル５の端点と電気的に接続されている。また、各弾性支持部材３０の他端は、各弾性基板２２の各弾性変形部２２ｂに接続され、弾性基板のランド部２２ｂ’に電気的に接続されている。弾性基板２２は可動部２をはさんでタンジェンシャル方向両側にフォーカシング方向とトラッキング方向を含む面内に存在し、トラッキング方向中央付近に固定部材に固定された中間部２２ａを持ち、中間部２２ａのトラッキング方向両側にタンジェンシャル方向に変位可能な弾性変形部２２ｂを持ち、弾性変形部２２ｂに弾性支持部材３０の他端部が電気的機械的に連結されている。
【００１１】
図１（ｄ）に示すように弾性基板２２は、絶縁性樹脂フィルム２２Ａ間に導電部である配線パターン部（配線部）２２Ｂをサンドイッチした構成を備え、中間部２２ａの下側に外部からの電流の出入口である端子部２２ｃを備えている。前記ランド部２２ｂ’と端子部２２ｃに相当する部分だけ、樹脂フィルム部（樹脂部）２２Ａが除去されて配線パターン２２Ｂ（導電部）が露出している。
即ち、弾性基板２２の配線パターン部２２Ｂの厚み方向両側には、夫々材質と外形形状及び厚さがお互いに同一な樹脂フィルム部２２Ａが貼付けられており、配線部としての端子部２２ｃとランド部２２ｂ’を除いた導電部２２Ｂの全面が覆われていると同時に、この外形が弾性基板の外形形状を形成している。
また、各固定部材２１の内側面には、可動部２側の各駆動コイル５に対向して駆動用磁石２５が配置されており、また各駆動用磁石２５の外側にはバックヨークと対物レンズ駆動装置のベース部を兼ねた略Ｕ字型のヨークベース２６があり、このヨークベース２６は両端の立ち上がり部によって各固定部材２１を固定している。そして駆動コイル５に流れる電流と駆動コイルに対向して配置されている駆動用磁石２５が発生している磁束とがあいまって、駆動コイル５にローレンツ力を発生させ、可動部２を任意の方向に駆動することが可能となっている。
なお、駆動コイル５、駆動用磁石２５、ヨーク２６は、対物レンズホルダ４を駆動して対物レンズ３を補正動作させる駆動手段を構成している（以下の、他の実施形態においても同様）。
【００１２】
ここで、対物レンズ駆動装置１における弾性支持部材３０と弾性基板２２との組付は以下のように行なわれる。即ち、図示しない対物レンズ駆動装置用組付治具に保持された可動部２、弾性支持部材３０、固定部材２１にあらかじめ被固定部分（中間部２２ａ）が固定された弾性基板２が夫々所定位置に位置決め配置されている。可動部２と各弾性支持部材３０の一端部を先に固着し、その後各弾性支持部材３０の他端部と弾性基板２２とを固着する。弾性支持部材３０の弾性基板２２側の他端部は弾性基板の弾性変形部２２ｂにあるランド部２２ｂ’の中心にある複数の穴にそれぞれ１本ずつ挿入されていて、このランド部をハンダ接続することで弾性支持部材と弾性基板との固着を行なう。このとき弾性基板２２は熱を受けることになるが、弾性基板２２はその肉厚中心部にある配線パターン部２２Ｂを厚み方向（タンジェンシャル方向）の中心として材質、厚さ、形状、が対称な構成となっているので、厚み方向中心に対して線膨張係数が対称であり、熱膨張時の面方向の膨張量が同じく対称となるので、弾性基板２２の弾性変形部２２ｂの面垂直方向へのたわみが発生せずに組付けることができる。これにより対物レンズ駆動装置の組付けにおいて、中立状態（無負荷状態）での可動部２のフォーカス方向位置精度向上が図れ、ＤＣオフセット電流の低減ができ、他軸のＤＣ電流配分やＡＣ電流配分の増加が可能となる。また同じく使用時においても、弾性基板２２の弾性変形部が雰囲気温度変化によってたわみを発生することはないので、雰囲気温度変化に対して安定した対物レンズ駆動装置の実現が可能となる。
なお上記説明には可動部２に駆動コイル５が搭載されたムービングコイル型の対物レンズ駆動装置を用いたが、ムービングマグネット型の対物レンズ駆動装置でも同様の効果がある。
【００１３】
次に、図２（ａ）及び（ｂ）は、弾性基板２２の厚さ方向断面図であり、配線パターン部（配線部）２２Ｂの両側にある各樹脂フィルム部（樹脂部）２２Ａの厚みが互いに少し異なっていて、図２（ａ）の例では、「一方の樹脂フィルムの厚みｔ１ａ＞他方の樹脂フィルムの厚みｔ１’ａ」という関係にあり、図２（ｂ）の例では、「一方の樹脂フィルムの厚みｔ１ｂ＞他方の樹脂フィルムの厚みｔ１’ｂ」という関係がある。
図２（ａ）は配線パターン部２２Ｂの材質の線膨張係数と、厚み方向両側の樹脂フィルム２２Ａの材質の線膨張係数とが異なる場合（樹脂フィルム部線膨張係数＞配線パターン部線膨張係数）であり、図２（ｂ）は配線パターン部材質の線膨張係数と、配線パターン部厚み方向両側の樹脂フィルム部材質の線膨張係数とが略等しい場合（線膨張係数の差が約１×１０-5［ｃｍ／ｃｍ／℃］以下）である。各図は、それぞれ弾性基板２２が加熱された時の配線パターン部２２Ｂと樹脂フィルム部２２Ａの伸び量Ｌ１ａ、Ｌ１’ａ、Ｌ２ａ、Ｌ１ｂ、Ｌ１’ｂ、Ｌ２ｂ及び配線パターン部２２Ｂと樹脂フィルム部２２Ａとの伸び量の違いによって配線パターン部−樹脂フィルム部間の境界面で配線パターン部が樹脂フィルム部から受ける力Ｆａ、Ｆ’ａ、Ｆｂ、Ｆ’ｂ、を表したものである。
図２（ａ）では配線パターン部２２Ｂに対して樹脂フィルム部２２Ａの線膨張係数が大きいため、Ｌ１ａ＝Ｌ１’ａ＞Ｌ２ａとなり、樹脂フィルム部２２Ａと配線パターン部２２Ｂとの２箇所の境界面で配線パターン部がそれぞれの樹脂フィルム部から力ＦａとＦ’ａを受ける（Ｆａ＞Ｆ’ａ）。この力ＦａとＦ’ａとにより配線パターン部にはＦｒとＦ’ｒという曲げ方向の力が働き、左側と右側の樹脂フィルム部の厚さの違いにより力は等しくない（Ｆｒ＞Ｆ’ｒ）ので相殺されずに弾性基板が面の垂直方向にたわんでしまう。これに対して図２（ｂ）では配線パターン部２２Ｂと樹脂フィルム部２２Ａの線膨張係数が略等しいので伸び量は、Ｌ１ｂ＝Ｌ１’ｂ≒Ｌ２ｂとなる。このため樹脂フィルム部と配線パターン部との２箇所の境界面で配線パターン部が樹脂フィルム部からそれぞれ受ける力Ｆｂ、Ｆ’ｂは共にほぼ０に等しい。このため曲げ方向に力は発生しないので左側と右側の樹脂フィルム部の厚さ違いがあっても弾性基板はたわまない。
このように弾性基板２２の配線パターン部材質の線膨張係数と、配線パターン部厚み方向両側の樹脂フィルム部材質の線膨張係数との差がおよそ１×１０-5［ｃｍ／ｃｍ／℃］以下である材料を組み合わせて選択することで、熱膨張による弾性基板の配線パターン部と樹脂フィルム部の面方向の相対的な伸縮量の差を少なくし、両面樹脂フィルム部の相対厚み誤差による面垂直方向への弾性基板のたわみ発生を防止することができる。また、配線パターン部材質と、配線パターン部厚み方向両側の樹脂フィルム部材質との組み合わせの１つとして、配線パターン部に線膨張係数が常温で約１．７×１０-5［ｃｍ／ｃｍ／℃］の銅を、樹脂フィルム部に線膨張係数が常温で１．２×１０-5［ｃｍ／ｃｍ／℃］のポリイミドを用いるとよい。
【００１４】
弾性基板２２のタンジェンシャル方向の必要な曲げ弾性力は、対物レンズ駆動装置１の仕様と、各構成部品の設計によりおのずと決まる値であるが、必要な弾性力を持つ弾性基板をわざわざ製作しなくとも、図１（ｃ）の例に示すように、適当な曲げ弾性力を持った補強板２２Ｃを既存の弾性基板の厚み方向両外側に固定することで、必要な狙いとする曲げ弾性力を持った弾性基板が実現できる。このとき弾性基板２２の厚み方向両側面それぞれに、図２（ｃ）に示すように、同一材質、同一厚さ、同一形状、の補強板２２Ｃを固定することで、熱膨張時の面方向の膨張量を対称にして面垂直方向への弾性基板のたわみ発生を防止すること共に、必要な狙いの曲げ弾性力を備えた弾性基板を、専用の厚みを持った弾性基板を新たに製作することなく実現できるので、コストの削減が図れる。また補強板２２Ｃを弾性基板の樹脂フィルム部２２Ａと同一材料とすることで、図２（ｂ）について説明した原理と同様に、熱膨張による弾性基板と補強板の面方向への相対的な伸縮量の差を少なくして、両面樹脂フィルム部の相対厚み誤差による面垂直方向への弾性基板のたわみ発生を防止することができる。
【００１５】
次に、本発明の第２の実施形態例について説明する。
図３（ａ）（ｂ）（ｃ）及び（ｄ）は第２の実施形態例に係る対物レンズ駆動装置を示す。図３（ａ）は本実施形態に係る対物レンズ駆動装置の平面図、図３（ｂ）は対物レンズ駆動装置をトラッキング方向から見た側面図、図３（ｃ）は弾性基板をタンジェンシャル方向から見た図、図３（ｄ）は弾性基板の厚さ方向断面構成図（拡大）である。
上記第１の実施形態に係る対物レンズ駆動装置では、可動部２が左右両側に夫々張設された弾性支持部材３０によりタンジェンシャル方向両側から支持されていたのに対し、本実施形態例の対物レンズ駆動装置１では、可動部２は弾性支持部材３０によりタンジェンシャル方向片側のみから支持されている。
対物レンズ駆動装置１は、可動部２と、可動部２のタンジェンシャル方向肩側に所定のギャップを隔てて配置された固定部２０と、固定部２０と可動部２との間を連結し可動部２を可動な状態に浮かせて保持する金属等の弾性且つ導電性を有した材料から成る４本の弾性支持部材３０と、とから概略構成されている。
可動部２は、図示しない光ディスクの記録面と対向する対物レンズ３、対物レンズ３をフォーカシング方向上面に保持する対物レンズホルダ４、対物レンズホルダ４のタンジェンシャル方向両側面に夫々保持されている駆動コイル５等から構成されている。また、可動部２は、トラッキング方向両側面から突設した突設部材２ａに各弾性支持部材３０の一端を固定し、各弾性支持部材３０は４本ずつタンジェンシャル両方向へ左右対称に延び、固定部２０側に他端部を固定している。
【００１６】
固定部２０は、固定部材２１と、固定部材２１の外側面に中間部２２ａを固定された弾性基板２２と、を備えており、各弾性支持部材３０の他端部は弾性基板２２に固定されている。弾性基板２２は固定部材２１により固定されていないトラッキング方向両端部（弾性変形部２２ｂ）がフリーの状態にあり、各弾性支持部材３０の他端部はこのフリーの状態にある弾性変形部２２ｂに夫々固定されている。なお、弾性基板２２は、図３（ｃ）に示すようにＴ字型をなしており、フォーカシング方向下方側の端部は導体露出部としての端子部２２ｃである。また、弾性基板２２の弾性変形部２２ｂに設けた導体露出部としてのランド部（導体露出部）２２ｂ’に対して、各弾性支持部材３０の他端部は半田等によって固定されている。即ち、弾性変形部２２ｂにはランド部２２ｂ’が設けられ、ランド部中心には弾性支持部材の他端部が挿入できる穴が設けられていて弾性支持部材の他端部がこのランド部中心にある穴に挿入され半田によって電気的に接続されている。このような構成により弾性基板２２の端子部２２ｃから、可動部２に固着された駆動コイル５へ電流を供給することができる。
なお、弾性支持部材３０の一部は固定部材２１に設けた貫通孔内に挿通されて貫通している。この結果、可動部２は、導電性を有した複数の弾性支持部材３０を介して弾性基板２２と電気的に接続されると共に、固定部材２１を介して機械的に支持されて動作可能となっている。
各弾性支持部材３０は、その軸がタンジェンシャル方向に延びるように可動部２のタンジェンシャル方向片側に配置され、各一端部は前述したように可動部２に接続された駆動コイル５の端点と電気的に接続されている。また、各弾性支持部材３０の他端は、弾性基板２２の各弾性変形部２２ｂに接続され、弾性基板のランド部２２ｂ’に電気的に接続されている。弾性基板２２はタンジェンシャル方向両側にフォーカシング方向とトラッキング方向を含む面内に存在し、トラッキング方向中央付近に固定部材２１に固定された中間部２２ａを持ち、中間部２２ａのトラッキング方向両側にタンジェンシャル方向に変位可能な弾性変形部２２ｂを持ち、弾性変形部２２ｂに弾性支持部材３０の他端部が電気的機械的に連結されている。
【００１７】
図３（ｄ）に示すように弾性基板２２は、２枚の絶縁性樹脂フィルム２２Ａ間に導電部である配線パターン２２Ｂをサンドイッチした構成を備え、中間部２２ａの下側に外部からの電流の出入口である端子部２２ｃを備えている。前記ランド部２２ｂ’と端子部２２ｃに相当する部分だけ、樹脂フィルム２２Ａが除去されて配線パターン２２Ｂ（導電部）が露出している。
即ち、弾性基板２２の配線パターン２２Ｂの厚み方向両側には、夫々材質と外形形状及び厚さがお互いに同一な樹脂フィルム２２Ａが貼付けられており、配線部としての端子部２２ｃとランド部２２ｂ’を除いた導電部２２Ｂの全面が覆われていると同時に、この外形が弾性基板の外形形状を形成している。
また、可動部２のタンジェンシャル方向片側に配置された固定部材２１の内側面には略Ｕ字型のヨークベース２６の一方の立ち上がり部が固定されており、該ヨークベース２６の２つの立ち上がり部の内側面には夫々駆動用磁石２５が固定されて、可動部２の両側に配置された駆動コイル５と対向配置されている。そして駆動コイル５に流れる電流と駆動コイル５に対向して配置されている駆動用磁石２５が発生している磁束とがあいまって、駆動コイル５にローレンツ力を発生させ、可動部２を任意の方向に駆動することが可能となっている。
【００１８】
ここで、対物レンズ駆動装置１の弾性支持部材３０と弾性基板２２との組付は以下のように行なわれる。即ち、図示しない対物レンズ駆動装置用組付治具によって保持された可動部２、弾性支持部材３０、及び固定部材２１にあらかじめ被固定部分（中間部）２２ａが固定された弾性基板２２がそれぞれ所定位置に配置されている。可動部２と弾性支持部材３０を先に固着し、その後弾性支持部材３０と弾性基板２２を固着する。弾性支持部材３０の弾性基板２２側の一端は弾性基板の弾性変形部にあるランド部の中心にある複数の穴にそれぞれ１本ずつ挿入されていて、このランド部をハンダ接続することで弾性支持部材と弾性基板との固着を行なう。このとき弾性基板は熱を受けることになるが、弾性基板は配線パターン部を厚み方向（タンジェンシャル方向）の中心として材質、厚さ、形状、が対称な構成となっているので厚み方向中心に対して線膨張係数が対称であり、熱膨張時の面方向の膨張量が同じく対称となるので、弾性基板の弾性変形部の面垂直方向へのたわみが発生せずに組付けることができる。これにより可動部のタンジェンシャル方向の組付け位置精度向上が図れる。なお上記例では、可動部に駆動コイルが搭載されたムービングコイル型の対物レンズ駆動装置を用いたが、ムービングマグネット型の対物レンズ駆動装置でも同様の効果がある。
【００１９】
次に、図４（ａ）（ｂ）、及び図５（ａ）（ｂ）及び（ｃ）に基づいて本発明の第３の実施形態に係る対物レンズ駆動装置につき説明する。図４（ａ）は本実施形態の対物レンズ駆動装置の平面図、（ｂ）は同対物レンズ駆動装置のトラッキング方向から見た側面図である。本実施形態に係る対物レンズ駆動装置１は、弾性基板２２の形状、支持構造を除けば、第１の実施形態と同等であるため、同一部分には同一符号を付し、重複した構成の説明は省略する。
本実施形態は、図５に示した対物レンズ駆動装置の弾性支持部材と弾性基板との組付け手順に特徴がある。
即ち、この組付けは以下のように行なわれる。まず、一部を除き図示しない対物レンズ駆動装置用組付治具により保持された可動部２、弾性支持部材３０、固定部材２１にあらかじめ被固定部分（中間部２２ａ）が固定された弾性基板２２がそれぞれ図５（ａ）のように所定位置に配置されている。
弾性基板２２は、弾性基板付勢用治具３５によってあらかじめタンジェンシャル方向可動部側に円弧状に弾性変形させられながら、タンジェンシャル方向の動きが規制されている。可動部２と弾性支持部材３０との間を先に固着し、その後弾性支持部材３０と弾性基板２２とを固着する。
タンジェンシャル方向可動部側に弾性変形させられながらタンジェンシャル方向への動きが規制された各弾性基板２２は、組付け完了後に治具３５から取り外されることにより、弾性変形の復元力によりタンジェンシャル方向外側（図５（ｂ）の矢印Ａ方向）へ戻ろうとする。これに伴い弾性基板２２に一端を固着された弾性支持部材３０もタンジェンシャル方向外側に引っ張られるので、弾性支持部材３０に固着された可動部２はタンジェンシャル方向両側に引っ張られることになる（図５（ｂ）（ｃ））。これにより、自重によりフォーカス方向下側にたわんでいた可動部２をフォーカス方向上側（図５（ｂ）の矢印Ｂ方向への形状復帰の結果として図５（ｃ）の状態となる）に引き上げることができる。弾性基板２２の曲げ剛性や付勢量を適宜選択調整することによって、従来の不具合であった可動部の中立状態における自重によるフォーカシング方向下側への変位をキャンセルすることができる。これにより対物レンズ駆動装置の組付けにおいて、中立状態（無負荷状態）での可動部２のフォーカス方向位置精度向上が図れ、ＤＣオフセット電流の低減ができ、他軸のＤＣ電流配分やＡＣ電流配分の増加が可能となる。
なお上記説明では、可動部に駆動コイルが搭載されたムービングコイル型の対物レンズ駆動装置を用いたが、ムービングマグネット型の対物レンズ駆動装置でも同様に有効である。
【００２０】
次に、図６（ａ）（ｂ）、及び（ｃ）に基づいて本発明の第４の実施形態に係る対物レンズ駆動装置につき説明する。図６（ａ）は本実施形態の対物レンズ駆動装置の平面図、（ｂ）は同対物レンズ駆動装置のトラッキング方向から見た側面図、（ｃ）は組立方法の説明図である。
本実施形態に係る対物レンズ駆動装置１は、弾性基板２２の形状、支持構造を除けば、第１の実施形態と同等であるため、同一部分には同一符号を付し、重複した構成の説明は省略する。
本発明の特徴的な構成は、対物レンズ駆動装置の弾性支持部材と弾性基板との組付け方法にある。
一部を除き図示しない対物レンズ駆動装置用組付治具に保持された可動部２、弾性支持部材３０、固定部材にあらかじめ被固定部分２２ａが固定された弾性基板２２がそれぞれ図６（ｃ）のように所定位置に配置されている。弾性基板２２は、タンジェンシャル方向にたわまないように弾性基板たわみ規制用治具３６によってタンジェンシャル方向の動きが規制されている。組付けにおいては、可動部２と弾性支持部材３０との間を先に固着し、その後弾性支持部材３０と弾性基板２２とを固着する。弾性支持部材３０の弾性基板２２側の一端は、弾性基板２２の弾性変形部２２ｂにあるランド部２２ｂ’の中心にある複数の穴にそれぞれ１本ずつ挿入されていて、このランド部をハンダ接続することで弾性支持部材と弾性基板との固着を行なう。このとき弾性基板２２は熱を受けることになるが、治具３６によってタンジェンシャル方向の動きが規制されているので、弾性基板の弾性変形部２２ｂの面垂直方向へのたわみが発生せずに組付けることができる。これにより対物レンズ駆動装置の組付けにおいて、中立状態（無負荷状態）での可動部のフォーカス方向位置精度向上が図れ、ＤＣオフセット電流の低減ができ、他軸のＤＣ電流配分やＡＣ電流配分の増加が可能となる。なお上記組付け方法の説明には可動部に駆動コイルが搭載されたムービングコイル型の対物レンズ駆動装置を用いたが、ムービングマグネット型の対物レンズ駆動装置でも同様に有効である。
【００２１】
次に、本発明の第５の実施形態に係る組付け方法について、図７に基づいて説明する。
なお、本組付け方法によって完成する対物レンズ駆動装置の構成は図６（ａ）（ｂ）に示した構成を変わるところがないので図示を省略し、図６を参照しつつ説明する。
ここで、弾性支持部材３０と弾性基板２２との組付けは以下のように行なわれる。まず、図示しない対物レンズ駆動装置用組付ジグに保持された可動部２、弾性支持部材３０、固定部材２１にあらかじめ被固定部分２２ａが固定された弾性基板２２がそれぞれ所定位置に配置されている。可動部２と弾性支持部材３０との間を先に固着し、その後弾性支持部材３０と弾性基板２２間を固着する。弾性支持部材３０の弾性基板側の一端は弾性基板の弾性変形部２２ｂにあるランド部２２ｂ’の中心にある複数の穴にそれぞれ１本ずつ挿入されていて、このランド部をハンダ接続することで弾性支持部材と弾性基板との固着を行なう。このとき弾性基板は加熱されることで図７（ａ）に示すようにタンジェンシャル方向の可動部側（矢印Ｃ方向）に円弧状に変形し、この状態でハンダにより弾性支持部材と固着される。その後放熱すると弾性基板２２のタンジェンシャル方向の変形が元に戻ろうとし（図７（ｂ）の矢印Ｄ方向）、これに伴い弾性基板２２に固着された弾性支持部材３０もタンジェンシャル方向外側に引っ張られるので、弾性支持部材に固着された可動部はタンジェンシャル方向両側に引っ張られることになる（図７（ｂ）⇒（ｃ））。これにより、自重によりフォーカス方向下側にたわんでいた可動部２をフォーカス方向上側（図７（ｂ）の矢印Ｅ方向）へ形状復帰させる結果として図７（ｃ）のように構成することができる。このとき弾性基板２２の曲げ剛性や加熱による変形量を適宜選択調整することによって、従来例の欠点であった可動部の中立状態における自重によるフォーカシング方向下側への変位をキャンセルすることができる。
以上のように、弾性基板２２の弾性変形部２２ｂの加熱による面垂直方向への可逆変形を利用することで、中立状態（無負荷状態）での可動部２のフォーカス方向位置精度向上が図れ、ＤＣオフセット電流の低減ができ、他軸のＤＣ電流配分やＡＣ電流配分の増加が可能となる。
なお、上記説明においては、可動部に駆動コイルが搭載されたムービングコイル型の対物レンズ駆動装置を用いたが、ムービングマグネット型の対物レンズ駆動装置でも同様に有効である。
【００２２】
次に、本発明の第６の実施形態に係る光ピックアップ装置を図８に示す。光学ピックアップ装置ＰＵに搭載されている光源４０から出射した光は、カップリングレンズ４１、ビームスプリッタ４２と通過し、立上げミラー４３により折り曲げられる。立上げミラー４３によって折り曲げられた光は光学ピックアップに搭載された図示しない対物レンズ駆動装置１の対物レンズ１２に入射し図示しない光ディスクの記録面上にスポットを形成する。スポットの反射光はビームスプリッタ４２によって来た方向と向きをかえて、検出レンズ４４とシリンドリカルレンズ４５を通った後、光検出器としての受光器４６に入射する。受光器４６で得られた信号を元にして対物レンズ駆動装置１のフォーカシングコイル２０、トラッキングコイル２１と、ラジアルチルトコイル２２を駆動することによって光ディスクに対して対物レンズ１２を追従させて、光ディスクの情報を得ることができる。ここで、光学ピックアップ装置ＰＵに搭載されている対物レンズ駆動装置１は前記各実施形態１〜５で説明した対物レンズ駆動装置を搭載することができる。各対物レンズ駆動装置１は加速度感度性能が高いため、高速化しても良好な信号を得ることが出来る光ピックアップ装置を提供することができる。
本発明の第７の実施形態に係る光ディスクドライブ装置を図９に示す。図９は、光ディスクドライブ装置５０にピックアップモジュール５１が設置されている状態を示している。ピックアップモジュール５１には光ディスク５２を回転させるスピンドルモータ５３が固定されている。また、ピックアップモジュール５１に取り付けられたシークレール５４には光ピックアップ装置ＰＵが搭載されている。光ピックアップ装置ＰＵはシークレール５４上を光ディスク５２の半径方向に移動可能である。ここで本光ディスクドライブ装置５０に搭載されている光ピックアップ装置ＰＵは実施形態６で取り上げた光学ピックアップ装置と同等の構成を有している。本光ピックアップ装置ＰＵに装備される対物レンズ駆動装置１は加速度感度性能が高いため、高速化しても良好な信号を得ることができる。したがって、本光ディスクドライブ装置５０はデータの読み書きを良好に行なうことが可能である。
【図面の簡単な説明】
【００２３】
【図１】（ａ）乃至（ｄ）は本発明の第１の実施形態に係る対物レンズ駆動装置の説明図であり、（ａ）は対物レンズ駆動装置の平面図、（ｂ）は対物レンズ駆動装置をトラッキング方向から見た側面図、（ｃ）は弾性基板をタンジェンシャル方向から見た図、（ｄ）は弾性基板の厚さ方向断面構成図（拡大）。
【図２】第１の実施形態に係る対物レンズ駆動装置の説明図であり、（ａ）（ｂ）及び（ｃ）は、弾性基板の厚さ方向断面図。
【図３】（ａ）（ｂ）（ｃ）及び（ｄ）は第２の実施形態例に係る対物レンズ駆動装置であり、（ａ）は本実施形態に係る対物レンズ駆動装置の平面図、（ｂ）は対物レンズ駆動装置をトラッキング方向から見た側面図、（ｃ）は弾性基板をタンジェンシャル方向から見た図、（ｄ）は弾性基板の厚さ方向断面構成図（拡大）。
【図４】（ａ）（ｂ）（ｃ）及び（ｄ）は第３の実施形態例に係る対物レンズ駆動装置であり、（ａ）は本実施形態に係る対物レンズ駆動装置の平面図、（ｂ）は対物レンズ駆動装置をトラッキング方向から見た側面図、（ｃ）は弾性基板をタンジェンシャル方向から見た図、（ｄ）は弾性基板の厚さ方向断面構成図（拡大）。
【図５】（ａ）（ｂ）及び（ｃ）は第３の実施形態に係る組立方法の説明図。
【図６】（ａ）は本実施形態の第４の実施形態に係る対物レンズ駆動装置の平面図、（ｂ）は同対物レンズ駆動装置のトラッキング方向から見た側面図、（ｃ）は組立方法の説明図。
【図７】（ａ）（ｂ）及び（ｃ）は本発明の第５の実施形態の説明図。
【図８】本発明の第６の実施形態に係る光ピックアップ装置の説明図。
【図９】光ディスクドライブ装置にピックアップモジュールが設置されている状態を示す説明図。
【符号の説明】
【００２４】
１  対物レンズ駆動装置、２  可動部、２ａ  突設部、３  対物レンズ、４  対物レンズホルダ、５  駆動コイル、２０  固定部、２１  固定部材、２２  弾性基板、２２ａ  中間部（被固定部分）、２２ｂ  弾性変形部、２２ｂ’  ランド部、２２ｃ  端子部、２２Ａ  絶縁性樹脂フィルム（樹脂部）、２２Ｂ  配線パターン部（配線部）、３０  弾性支持部材、３５、３６  治具
【図１】
2006260695.tif 000003
【図２】
2006260695.tif 000004
【図３】
2006260695.tif 000005
【図４】
2006260695.tif 000006
【図５】
2006260695.tif 000007
【図６】
2006260695.tif 000008
【図７】
2006260695.tif 000009
【図８】
2006260695.tif 000010
【図９】
2006260695.tif 000011